(57)【特許請求の範囲】
【請求項１】
塗布液をスリットから吐出する吐出手段、該吐出された塗布液が流れるスライド面、及び該スライド面両端に設けられ、該スライド面を流れる前記塗布液を案内するエッジガイドを少なくとも有するスライドカーテン塗布装置において、
前記スライド面両端のエッジガイドにおける前記塗布液と接する面全体から補助液を流し出す液供給機構を備え、
スライド面両端のエッジガイドにおける塗布液と接する面の部材が、多孔質体からなる多孔質体部材であり、
多孔質体部材の高さが、塗布液膜厚と同等であり、かつエッジガイドと塗布液との接触面と同面上であって前記多孔質体部材の上に、補助液に対して接触角９０°以上の規制部材を備えたことを特徴とするスライドカーテン塗布装置。
【請求項２】
多孔質体部材の平均細孔径が、５０μｍ以下である請求項１に記載のスライドカーテン塗布装置。
【請求項３】
多孔質体部材の気孔率が、３０％以上である請求項１に記載のスライドカーテン塗布装置。
【請求項４】
スライド面両端のエッジガイドにおける塗布液と接する面から流す補助液の高さが、塗布液膜厚と同等に調節可能である請求項１に記載のスライドカーテン塗布装置。
【請求項５】
１層以上の塗布液を各々のスリットから吐出させ、スライド面上で積層し、その積層した塗布液を自由落下させ、連続走行するウェブ上に塗布するスライドカーテン塗布方法において、
請求項１から４のいずれかに記載のスライドカーテン塗布装置を用いて、スライド面両端のエッジガイドにおける前記塗布液と接する面全体から補助液を流し、前記塗布液を塗布することを特徴とするスライドカーテン塗布方法。
【請求項６】
スライド面両端のエッジガイドにおける塗布液と接する面全体から流す補助液の高さを、塗布液膜厚と同等として前記塗布液を塗布する請求項５に記載のスライドカーテン塗布方法。
【請求項７】
スライド面両端のエッジガイド下流側に設けた爪によって前記スライド面両端のエッジガイドにおける塗布液と接する面から流した補助液を掻き取る掻取機構を備えた請求項１に記載のスライドカーテン塗布装置。
【請求項８】
スライド面両端のエッジガイドにおける補助液を流し出す面が、互いに塗布液の幅と、両端の前記補助液の膜厚分とを加えた距離離間して設けられ、前記エッジガイド下流側に設けた爪によって、流した前記補助液を掻き取る掻取機構を備え、前記爪がそれぞれ前記エッジガイドにおける補助液を流し出す面よりも前記補助液の膜厚分、前記塗布液の幅方向内側に位置する請求項１に記載のスライドカーテン塗布装置。
【請求項９】
スライド面両端のエッジガイド下流の爪の長さが、前記スライド面両端のエッジガイドにおける塗布液と接する面から流した補助液の接する面に対しての膜厚と同等である請求項７から８のいずれかに記載のスライドカーテン塗布装置。
【請求項１０】
スライド面両端のエッジガイドにおける塗布液と接する面から流した補助液を、そのスライド面両端の前記エッジガイド下流側で吸引する吸引機構を備えた請求項１に記載のスライドカーテン塗布装置。
【請求項１１】
スライド面両端のエッジガイドにおける補助液を流し出す面が、互いに塗布液の幅と、両端の前記補助液の膜厚分とを加えた距離離間して設けられ、流した前記補助液を、前記スライド面両端の前記エッジガイド下流側で吸引する吸引機構を備えた請求項１に記載のスライドカーテン塗布装置。
【請求項１２】
掻取機構が掻き取った補助液を、スライド面両端のエッジガイド下流側で吸引する吸引機構を備えた請求項７から９のいずれかに記載のスライドカーテン塗布装置。
【請求項１３】
１層以上の塗布液を、各々のスリットから吐出させ、スライド面上で積層し、その積層した塗布液を自由落下させ、連続走行するウェブ上に塗布するスライドカーテン塗布方法において、
請求項１１から１２のいずれかに記載のスライドカーテン塗布装置を用いて、前記スライド面両端のエッジガイドにおける前記塗布液と接する面全体から補助液を流し、前記スライド面両端のエッジガイドにおける前記塗布液と接する面から流した前記補助液を、そのスライド面両端の前記エッジガイド下流側で吸引しながら塗布することを特徴とするスライドカーテン塗布方法。
【請求項１４】
１層以上の塗布液を各々のスリットから吐出させ、スライド面上で積層し、その積層した塗布液を自由落下させ、連続走行するウェブ上に塗布するスライドカーテン塗布方法において、
請求項１１に記載のスライドカーテン塗布装置を用いて、前記スライド面両端のエッジガイドにおける塗布液と接する面全体から補助液を流し、前記スライド面両端のエッジガイドにおける前記補助液を流し出す面が、互いに塗布液の幅と、両端の前記補助液の膜厚分とを加えた距離離間して設けられ、流した前記補助液を、前記スライド面両端の前記エッジガイド下流側で吸引しながら塗布することを特徴とするスライドカーテン塗布方法。
【請求項１５】
請求項７から９のいずれかに記載のスライドカーテン塗布装置を用いて、スライド面両端のエッジガイドにおける塗布液と接する面全体から補助液を流し、前記スライド面両端のエッジガイドにおける前記塗布液と接する面から流した前記補助液を、前記スライド面両端の前記エッジガイド下流側にて、爪によって掻き取りながら前記塗布液を塗布することを特徴とするスライドカーテン塗布方法。
【請求項１６】
請求項７から９のいずれかに記載のスライドカーテン塗布装置を用いて、スライド面両端のエッジガイドにおける塗布液と接する面全体から補助液を流し、前記スライド面両端のエッジガイドにおける前記補助液を流し出す面が、互いに塗布液の幅と、両端の前記補助液の膜厚分とを加えた距離離間して設けられ、前記補助液を前記スライド面両端の前記エッジガイド下流側にて、爪によって掻き取りながら前記塗布液を塗布することを特徴とするスライドカーテン塗布方法。
【請求項１７】
爪によって掻き取った補助液を、スライド面両端のエッジガイド下流側で吸引しながら塗布液を塗布する請求項１５から１６のいずれかに記載のスライドカーテン塗布方法。
【請求項１８】
スライド面両端のエッジガイドにおける塗布液と接する面全体から流す補助液の高さを、塗布液膜厚と同等として前記塗布液を塗布する請求項１３から１７のいずれかに記載のスライドカーテン塗布方法。
【請求項１９】
補助液の静的表面張力が、塗布液の静的表面張力に対して、＋３０ｍＮ／ｍ〜−１０ｍＮ／ｍの範囲である請求項５、６、及び１３から１８のいずれかに記載のスライドカーテン塗布方法。
【発明の詳細な説明】
【技術分野】
【０００１】
本発明は、連続走行するウェブ上に塗布液を塗布するスライドカーテン塗布装置及びス
ライドカーテン塗布方法に関する。
【背景技術】
【０００２】
カーテン塗布装置は、写真フィルム等の写真感光材料等の製造によく用いられている。
図１に、従来のカーテン塗布装置の一例を示す。図１に示すカーテン塗布装置（カーテン
塗工ヘッド）４は、塗布液６を吐出する吐出手段として、スリットＳを一つ以上有し、複
数のスリットＳから塗布液６をスライド面１上に吐出させることにより、スライド面１上で塗布液６が積層される。積層された塗布液６は、スライド面１から自由落下し、連続走行するウェブ５上に塗布膜を形成する。このとき、ウェブ５は、図示しない搬送手段を用いて搬送される。なお、カーテン塗布装置は、スライド面エッジガイド２、及びカーテン部エッジガイド３を備えている。本願発明は、この種のカーテン塗布装置の改良に係るものである。
【０００３】
また、本願発明に係るカーテン塗布方法は、上述したカーテン塗布装置を用いた、多層塗工において、各々の機能の異なる塗布液を各々のスリットから吐出させ、スライド面上で積層し、その積層した塗布液を自由落下させ、連続走行するウェブ上に衝突させながら塗布膜を形成させることにより、多層塗工する方法である。
【０００４】
ところで、従来のこの種の方法では、図１に示す様に、各々の塗布液がスライド面を流れる際に、該スライド面の両端部で塗布液の流れが遅い部分が発生し、図１中、Ａで示すように、その流速差により、端部の液が中心側に縮流する現象を起こす。このため、前記塗布液を自由落下させ、連続走行するウェブ上に衝突させながら塗布膜を形成させると、該塗布膜における幅方向端部での前記塗布液の付着量が多くなるといった欠点がある。このため、前記塗布膜の乾燥時に未乾燥部分が生じて、製品巻き取り時にブロッキングが発生したり、端部が盛り上がることにより、巻き取り時にウェブが切れたりして、生産効率が低下する。これに対し、乾燥温度を高くすることも考えられるが、例えば、感熱紙の塗工では、塗膜の温度が高くなると発色し、製品不良を生じるという問題があり、乾燥温度上昇という手段は使えない場合が多い。
【０００５】
このような塗工端部における前記塗布液の付着量が多くなる現象を防止するために、特許文献１〜４には、スライド面両端のエッジ部に沿って補助液を流し、該スライド面両端における塗布液の流速を中心流速に近づける方法が開示されている。しかしながら、これらの方法では、エッジガイドに沿って前記補助液を流すため、該補助液の量を多くすることが必要であり、スライド面端部における前記塗布液が前記補助液と混合し易くなったり、前記エッジガイドに沿っている前記補助液の流れにムラが出たりして、塗工端部における前記塗布液の付着量が安定せず、製品不良となったりするという問題があり、また、塗布装置も複雑になるという難点がある。
【０００６】
【特許文献１】特開２０００−５１３号公報
【特許文献２】特開２０００−２１８２０９号公報
【特許文献３】特開２００１−１０４８５６号公報
【特許文献４】特表２００５−５１２７６８号公報
【発明の開示】
【発明が解決しようとする課題】
【０００７】
本発明は、従来における前記問題を解決し、以下の目的を達成することを課題とする。即ち、本発明は、連続走行するウェブ上に塗布液を積層状態に塗布するスライドカーテン塗工において、スライド面上で前記塗布液が縮流することを抑制し、前記塗布液による塗布膜の幅方向端部において、前記塗布液の付着量の多い部分が生じるのを抑制することができるスライドカーテン塗布装置及びスライドカーテン塗布方法を提供することを目的とする。
【課題を解決するための手段】
【０００８】
前記課題を解決するための手段としては、以下の通りである。即ち、
＜１＞  塗布液をスリットから吐出する吐出手段、該吐出された塗布液が流れるスライド面、及び該スライド面の幅方向両側に設けられ、該スライド面を流れる前記塗布液を案内するエッジガイドを少なくとも有するスライドカーテン塗布装置において、前記スライド面両端のエッジガイドにおける前記塗布液と接する面全体から補助液を流し出す液供給機構を備えたことを特徴とするスライドカーテン塗布装置である。
【０００９】
該＜１＞に記載のスライドカーテン塗布装置においては、１層以上の前記塗布液を各々の前記スリットから吐出させ、前記スライド面上で積層し、その積層した前記塗布液を自由落下させ、連続走行するウェブ上に塗布する際、前記液供給機構が、前記スライド面の幅方向両側に設けられた前記エッジガイドにおける前記塗布液と接する面全体から前記補助液を流し出すので、前記塗布液により形成された塗布膜の幅方向端部における前記塗布液の付着量（以下、「端部付着量」と称することがある。）が多くなるのを防止することができ、塗布ウェブ巻き取り時のブロッキングやウェブ切れが無くなり、生産効率が上昇する。また、前記スライドカーテン塗布装置の前記スライド面の幅方向両側に設けられた前記エッジガイドにおける、前記塗布液と接する面全体から前記補助液を流し出すことにより、補助液量を少なくすることが可能となり、前記塗布液と前記補助液との混合部分が殆どなく、前記ウェブ上に塗布後の塗布液による塗布膜の幅方向端部に、前記塗布液と前記補助液との混合ムラが生じるのを抑制することができる。
【００１０】
＜２＞  スライド面両端の前記エッジガイドにおける塗布液と接する面の部材が、多孔質体からなる多孔質体部材である前記＜１＞に記載のスライドカーテン塗布装置である。
該＜２＞に記載のスライドカーテン塗布装置においては、前記スライド面両端の前記エッジガイドにおける前記塗布液と接する面の部材を、前記多孔質体部材とすることにより、前記補助液の膜厚を小さくし、前記補助液の流れのムラを小さくすることができ、前記塗布液による塗布膜の幅方向端部における前記塗布液の付着量ムラの発生を抑制することできる。
【００１１】
＜３＞  多孔質体部材の平均細孔径が、５０μｍ以下である前記＜２＞に記載のスライドカーテン塗布装置である。該＜３＞に記載のスライドカーテン塗布装置においては、前記多孔質体部材の平均細孔径を５０μｍ以下にして、前記塗布液を塗布することにより、前記補助液の流れのムラを小さくすることができ、塗布液端部の流速が安定して速くなり、前記塗布液の端部付着量が多くなる現象を防止することができ、塗布ウェブ巻き取り時のブロッキングやウェブ切れが無くなり、生産効率が上昇する。
【００１２】
＜４＞  多孔質体部材の気孔率が、３０％以上である前記＜２＞に記載のスライドカーテン塗布装置である。該＜４＞に記載のスライドカーテン塗布装置においては、前記多孔質体部材の気孔率を３０％以上にして、前記塗布液を塗布することにより、前記補助液の流れのムラを小さくすることができ、塗布液端部の流速が安定して速くなり、前記塗布液の端部付着量が多くなる現象を防止することができ、塗布ウェブ巻き取り時のブロッキングやウェブ切れが無くなり、生産効率が上昇する。
【００１３】
＜５＞  多孔質体部材の高さが、塗布液膜厚と同等である前記＜２＞に記載のスライドカーテン塗布装置である。該＜５＞に記載のスライドカーテン塗布装置においては、前記多孔質体部材の高さを塗布液膜厚と同等にして、前記塗布液を塗布することにより、前記塗布液と前記補助液とが混合しにくく、前記ウェブ上に塗布後の塗布液による塗布膜の幅方向端部に、前記塗布液と前記補助液との混合部分が生じるのを防止することができ、端部混合ムラの発生を抑制することができる。
【００１４】
＜６＞  多孔質体部材の高さが、塗布液膜厚と同等であり、かつエッジガイドと塗布液との接触面と同面上であって前記多孔質体部材の上に、補助液に対して接触角９０°以上の規制部材を備えた前記＜２＞に記載のスライドカーテン塗布装置である。該＜６＞に記載のスライドカーテン塗布装置においては、前記多孔質体部材の高さを塗布液膜厚と同等とし、かつ前記エッジガイドと前記塗布液との接触面と同面上であって前記多孔質体部材の上に、前記補助液に対して接触角９０°以上の前記規制部材を設けて、前記塗布液を塗布することにより、前記スライド面における幅方向端部の塗布液高さが中心部と同等となり、前記端部付着量が多くなる現象を防止することができ、塗布ウェブ巻き取り時のブロッキングやウェブ切れが無くなり、生産効率が上昇する。
【００１５】
＜７＞  スライド面両端の前記エッジガイドにおける塗布液と接する面から流す補助液の高さが、塗布液膜厚と同等に調節可能である前記＜１＞に記載のスライドカーテン塗布装置である。該＜７＞に記載のスライドカーテン塗布装置においては、前記スライド面両端の前記エッジガイドにおける前記塗布液と接する面から流す前記補助液の高さを、前記塗布液膜厚と同等とすることにより、前記塗布液と前記補助液とが混合しにくく、前記ウェブ上に塗布後の塗布液による塗布膜の幅方向端部に、前記塗布液と前記補助液との混合部分が生じるのを防止することができ、端部混合ムラの発生を抑制することができる。
【００１６】
＜８＞  １層以上の塗布液を各々のスリットから吐出させ、スライド面上で積層し、その積層した塗布液を自由落下させ、連続走行するウェブ上に塗布するスライドカーテン塗布方法において、前記＜１＞から＜７＞のいずれかに記載のスライドカーテン塗布装置を用いて、スライド面両端のエッジガイドにおける前記塗布液と接する面全体から補助液を流し、前記塗布液を塗布することを特徴とするスライドカーテン塗布方法である。
＜９＞  スライド面両端のエッジガイドにおける前記塗布液と接する面全体から流す補助液の高さを、塗布液膜厚と同等として前記塗布液を塗布する前記＜８＞に記載のスライドカーテン塗布方法である。
【００１７】
これら上記スライドカーテン塗布方法によって、スライドカーテン塗布装置使用時に、前記塗布液の端部付着量が多くなることを防止することができ、塗布ウェブ巻き取り時のブロッキングやウェブ切れが無くなり、生産効率が上昇する。また、前記スライドカーテン塗布装置の前記スライド面両端の前記エッジガイドにおける前記塗布液と接する面全体から、前記補助液を流すことにより、補助液量を少なくすることができ、前記塗布液と前記補助液との混合部分が殆ど生じることなく、前記ウェブ上に塗布後の塗布液による塗布膜の幅方向端部に、前記塗布液と前記補助液との混合ムラが発生するのを抑制することができる。
【００１８】
＜１０＞  スライド面両端のエッジガイド下流側に設けた爪によって前記スライド面両端のエッジガイドにおける塗布液と接する面から流した補助液を掻き取る掻取機構を備えた前記＜１＞に記載のスライドカーテン塗布装置である。
【００１９】
該＜１０＞に記載のスライドカーテン塗布装置においては、前記スライド面両端の前記エッジガイドにおける前記塗布液と接する面から流した前記補助液を、そのスライド面両端の前記エッジガイド下流側に爪を設けて、該爪を用いて掻き取りながら前記塗布液を塗布するので、前記ウェブ上に塗布後の塗布液による塗布膜の幅方向端部に、前記塗布液と前記補助液との混合部分が生じることなく、前記塗布液の端部付着量が多くなる現象を防止することができ、塗布ウェブ巻き取り時のブロッキングやウェブ切れが無くなり、生産効率が上昇する。
【００２０】
＜１１＞  スライド面両端のエッジガイドにおける補助液が流れる面を、その面に対しての前記補助液の膜厚分だけ、前記スライド面側の前記エッジガイド端面から前記補助液が流れる面と反対方向に移動させ、そのスライド面両端の前記エッジガイド下流側に設けた爪によって、流した前記補助液を掻き取る掻取機構を備えた前記＜１＞に記載のスライドカーテン塗布装置である。
【００２１】
該＜１１＞に記載のスライドカーテン塗布装置においては、前記スライド面両端の前記エッジガイドにおける前記補助液が流れる面を、その面に対しての前記補助液の膜厚分だけ、前記スライド面側の前記エッジガイド端面から前記補助液が流れる面と反対方向に移動させ、流した前記補助液をそのスライド面両端の前記エッジガイド下流側に設けた爪により、前記補助液を掻き取りながら前記塗布液を塗布するので、前記ウェブ上に塗布後の塗布液による塗布膜の幅方向端部に、前記塗布液と前記補助液との混合部分が生じることなく、前記塗布液の端部付着量が多くなる現象を防止することができ、塗布ウェブ巻き取り時のブロッキングやウェブ切れが無くなり、生産効率が上昇する。
【００２２】
＜１２＞  スライド面両端のエッジガイド下流の爪の長さが、前記スライド面両端のエッジガイドにおける塗布液と接する面から流した補助液の接する面に対しての膜厚と同等である前記＜１０＞から＜１１＞のいずれかに記載のスライドカーテン塗布装置である。
【００２３】
該＜１２＞の記載のスライドカーテン塗布装置においては、前記スライド面両端の前記エッジガイド下流に設けた前記爪の長さを、前記スライド面両端の前記エッジガイドにおける前記塗布液と接する面から流した前記補助液の接する面に対しての膜厚と同等とすることにより、前記ウェブ上に塗布後の塗布液による塗布膜の幅方向端部に、前記塗布液と前記補助液との混合部分が生じることなく、前記塗布液の端部付着量が多くなる現象の発生を防止することができ、塗布ウェブ巻き取り時のブロッキングやウェブ切れが無くなり、生産効率が上昇する。
【００２４】
＜１３＞  スライド面両端のエッジガイドにおける塗布液と接する面から流した補助液を、そのスライド面両端の前記エッジガイド下流側で吸引する吸引機構を備えた前記＜１＞に記載のスライドカーテン塗布装置である。
【００２５】
該＜１３＞に記載のスライドカーテン塗布装置を用いて、前記スライド面両端の前記エッジガイドにおける前記塗布液と接する面から流した前記補助液を、そのスライド面両端の前記エッジガイド下流側で吸引しながら前記塗布液を塗布することにより、前記ウェブ上に塗布後の塗布液による塗布膜の幅方向端部に、前記塗布液と前記補助液との混合部分が生じることなく、前記塗布液の端部付着量が多くなる現象を防止することができ、塗布ウェブ巻き取り時のブロッキングやウェブ切れが無くなり、生産効率が上昇する。
【００２６】
＜１４＞  スライド面両端のエッジガイドにおける補助液が流れる面を、その面に対しての前記補助液の膜厚分だけ、前記スライド面側の前記エッジガイド端面から前記補助液が流れる面と反対方向に移動させ、流した前記補助液を、そのスライド面両端の前記エッジガイド下流側で吸引する吸引機構を備えた前記＜１＞に記載のスライドカーテン塗布装置である。
【００２７】
該＜１４＞に記載のスライドカーテン塗布装置を用いて、前記スライド面両端の前記エッジガイドにおける前記補助液が流れる面を、その面に対しての前記補助液の膜厚分だけ、前記スライド面側の前記エッジガイド端面から前記補助液が流れる面と反対方向に移動させ、流した前記補助液をそのスライド面両端の前記エッジガイド下流側で吸引しながら、前記塗布液を塗布することにより、前記ウェブ上に塗布後の塗布液による塗布膜の幅方向端部に、前記塗布液と前記補助液との混合部分が生じることなく、前記塗布液の端部付着量が多くなったり、少なくなったりする現象が発生するのを防止することができ、塗布ウェブ巻き取り時のブロッキングやウェブ切れが無くなり、生産効率が上昇する。
【００２８】
＜１５＞  掻取機構が掻き取った補助液を、スライド面両端のエッジガイド下流側で吸引する吸引機構を備えた前記＜１０＞から＜１２＞のいずれかに記載のスライドカーテン塗布装置である。該＜１５＞に記載のスライドカーテン塗布装置を用いると、掻き取った前記補助液を吸引しながら、前記塗布液を塗布することにより、前記ウェブ上に塗布後の塗布液による塗布膜の幅方向端部に、前記塗布液と前記補助液との混合部分が生じることなく、前記塗布液の端部付着量が多くなる現象を防止することができ、塗布ウェブ巻き取り時のブロッキングやウェブ切れが無くなり、生産効率が上昇する。
【００２９】
＜１６＞  １層以上の塗布液を、各々のスリットから吐出させ、スライド面上で積層し、その積層した塗布液を自由落下させ、連続走行するウェブ上に塗布するスライドカーテン塗布方法において、前記＜１４＞から＜１５＞のいずれかに記載のスライドカーテン塗布装置を用いて、前記スライド面両端のエッジガイドにおける前記塗布液と接する面全体から補助液を流し、前記スライド面両端のエッジガイドにおける前記塗布液と接する面から流した前記補助液を、そのスライド面両端の前記エッジガイド下流側で吸引しながら塗布することを特徴とするスライドカーテン塗布方法である。
【００３０】
＜１７＞  １層以上の塗布液を各々のスリットから吐出させ、スライド面上で積層し、その積層した塗布液を自由落下させ、連続走行するウェブ上に塗布するスライドカーテン塗布方法において、前記＜１４＞に記載のスライドカーテン塗布装置を用いて、前記スライド面両端のエッジガイドにおける塗布液と接する面全体から補助液を流し、前記スライド面両端のエッジガイドにおける前記補助液が流れる面を、その面に対しての前記補助液の膜厚分だけ、前記スライド面側の前記エッジガイド端面から前記補助液が流れる面と反対方向に移動させ、流した前記補助液を、そのスライド面両端の前記エッジガイド下流側で吸引しながら塗布することを特徴とするスライドカーテン塗布方法である。
【００３１】
＜１８＞  前記＜１０＞から＜１２＞のいずれかに記載のスライドカーテン塗布装置を用いて、スライド面両端のエッジガイドにおける塗布液と接する面全体から補助液を流し、前記スライド面両端のエッジガイドにおける前記塗布液と接する面から流した前記補助液を、前記スライド面両端の前記エッジガイド下流側にて、爪によって掻き取りながら前記塗布液を塗布することを特徴とするスライドカーテン塗布方法である。
【００３２】
＜１９＞  前記＜１０＞から＜１２＞のいずれかに記載のスライドカーテン塗布装置を用いて、スライド面両端のエッジガイドにおける塗布液と接する面全体から補助液を流し、前記スライド面両端のエッジガイドにおける前記補助液が流れる面を、その面に対しての前記補助液の膜厚分だけ、前記スライド面側の前記エッジガイド端面から前記補助液が流れる面と反対方向に移動させ、前記補助液を前記スライド面両端の前記エッジガイド下流側にて、爪によって掻き取りながら前記塗布液を塗布することを特徴とするスライドカーテン塗布方法である。
【００３３】
＜２０＞  爪によって掻き取った補助液を、スライド面両端のエッジガイド下流側で吸引しながら塗布液を塗布する前記＜１８＞から＜１９＞のいずれかに記載のスライドカーテン塗布方法である。
【００３４】
＜２１＞  スライド面両端のエッジガイドにおける塗布液と接する面全体から流す補助液の高さを、塗布液膜厚と同等として前記塗布液を塗布する前記＜１６＞から＜２０＞のいずれかに記載のスライドカーテン塗布方法である。
【００３５】
本発明の前記＜１６＞から＜２１＞に記載のスライドカーテン塗布方法によれば、カーテン塗布装置使用時に、既述したような、前記塗布液の端部付着量が多くなるのを防止することができ、塗布ウェブ巻き取り時のブロッキングやウェブ切れが無くなり、生産効率が上昇する。また、前記スライドカーテン塗布装置の前記スライド面両端の前記エッジガイドにおける前記塗布液と接する面全体から前記補助液を流すことにより、補助液量を少なくすることができ、前記塗布液と前記補助液との混合部分が殆ど生じることなく、前記ウェブ上に塗布後の塗布液による塗布膜の幅方向端部における、前記塗布液と前記補助液との混合ムラの発生を抑制することができる等の効果が得られる。そして、これに加えて、更に、前記補助液を吸引しながら塗布する、前記エッジガイドにおける前記補助液が流れる面を、その面に対しての前記補助液の膜厚分だけ、前記スライド面側の前記エッジガイド端面から移動させる、或いは、前記エッジガイド下流側で前記爪によって掻き取りながら塗布する、等の要素を単独にあるいは適宜選択的に組み合わせて取り入れることによって、夫々の場合に相応した追加的な性能向上効果が得られる。更に、前記補助液の高さを塗布液膜厚と同等として塗布することで、より好適な結果が得られる。
【００３６】
＜２２＞  補助液の静的表面張力が、塗布液の静的表面張力に対して、＋３０ｍＮ／ｍ〜−１０ｍＮ／ｍの範囲である前記＜８＞、＜９＞、及び＜１６＞から＜２１＞のいずれかに記載のスライドカーテン塗布方法である。該＜２２＞に記載のスライドカーテン塗布方法においては、前記補助液の静的表面張力が、前記塗布液の静的表面張力に対して、＋３０ｍＮ／ｍ〜−１０ｍＮ／ｍの範囲とすることにより、前記塗布液及び前記補助液の表面張力の釣り合いが取れ、表面張力差による、前記塗布液の端部付着量が多くなる現象の発生を防止することができ、塗布ウェブ巻き取り時のブロッキングやウェブ切れが無くなり、生産効率が上昇する。
【発明の効果】
【００３７】
本発明によると、従来における前記諸問題を解決でき、スライド面上で前記塗布液が縮流することを抑制し、前記塗布液による塗布膜の幅方向端部において、前記塗布液の付着量の多い部分が生じるのを抑制することができるスライドカーテン塗布装置及びスライドカーテン塗布方法を提供することができる。
【発明を実施するための最良の形態】
【００３８】
次に、本発明を実施するための最良の形態を図面と共に説明する。
【００３９】
〔第１実施形態〕
図２に、本発明のスライドカーテン塗布装置の第１の実施形態を示す。図２に示すスライドカーテン塗布装置４は、図１の装置同様、塗布液６を吐出する吐出手段として、スリットＳを一つ以上有しており、該吐出された塗布液６が流れるスライド面１と、該スライド面１の両側に設けられ、該スライド面を流れる塗布液６を案内するスライド面エッジガイド２Ａと、その下流端に続くカーテン部エッジガイド３Ａとを有しており、これら既知構成部分に加えて、特に本実施形態のスライドカーテン塗布装置では、スライド面エッジガイド２Ａにおける塗布液６と接する内側の面（２ｃ）全体から補助液７を流し出す液供給機構を備えている。なお、スライドカーテン塗布装置４の下部では、ウェブ５が、図示しない搬送手段を用いて搬送される。
【００４０】
図３は、図２に示すスライドカーテン塗布装置の断面図を示している（対称な片側は省略）。図３に示すように、スライド面エッジガイド（以下、単に「エッジガイド」と称する）２Ａの内部には、補助液７が通る中空部２ａが形成されている。また、塗布液６と接する面の壁部材８は、例えば、細孔を設けたり微細なスリットを多数形成しておく等によって補助液７が浸透可能に形成してあり、中空部２ａ内の補助液７が滲み出して壁部材８の表面（エッジガイド２Ａにおける塗布液６と接する内側の面）に、常に適量が滞留するようになっている。なお、補助液７は、不図示の補助液供給部から供給される。
【００４１】
複数のスリットＳからスライド面１上に吐出された塗布液６は、スライド面１上で積層
される。この積層された塗布液６は、重力作用でスライド面１上を下流側に移動する。こ
のとき、積層された塗布液６は、スライド面１の幅方向両側端部分で補助液７に接していて、流動を妨げられないため、従来みられた縮流は抑制され、塗布液６の幅方向端部に、付着量の多い部分が生じるのが抑制される。スライド面１の下流側端部に達した塗布液６は、スライド面１から自由落下し、連続走行するウェブ５上に塗布される。
【００４２】
このスライドカーテン塗布装置４では、スライド面１の両端のエッジガイド２Ａにおける塗布液６と接する面２ｃ全体から補助液７を流すことにより、スライド面１の幅方向端部に位置する塗布液６の流速が速くなり、また、スライド面１の幅方向中心部における塗布液６との流速差を小さくすることにより、端部の液が中心側に縮流する現象の発生を抑制し、塗布液６の端部付着量が多くなるのを防止することができる。
【００４３】
また、このスライドカーテン塗布装置４では、塗布装置４のスライド面１の両端のエッジガイド２Ａにおける塗布液６と接する面２ｃ全体から補助液７を流すことにより、補助液量を少なくすることができ、塗布液６と補助液７との混合部分がほとんどなく、ウェブ５上に塗布後の塗布液６による塗布膜の幅方向端部において、塗布液６と補助液７との混合ムラの発生を抑制することができている。
【００４４】
なお、上述したスライド面１の両端のエッジガイド２Ａにおける塗布液６と接する面２ｃから流す補助液７としては、液体で流動性が有ればよく、特に限定されるものではないが、例えば、塗布液６が水系液の場合、水や、水に樹脂、界面活性剤等を混合した調合液が好ましく、溶剤系液の場合、その塗布液６に含有する溶媒や、その溶媒に樹脂、界面活性剤等を混合した調合液を用いるのが好ましい。
【００４５】
また、この補助液７は、静的表面張力が、塗布液６の静的表面張力に対して、＋３０ｍＮ／ｍ〜−１０ｍＮ／ｍであるのが好ましく、＋２０ｍＮ／ｍ〜−５ｍＮ／ｍであるのがより好ましい。これは、補助液７の静的表面張力が、塗布液６の静的表面張力より低いと（−１０ｍＮ／ｍ未満であると）、スライド面１上で補助液７が塗布液６に引っ張られ、ウェブ５上に塗布された塗布膜の端部に、無視することができない、塗布液６と補助液７との混合部分ができてしまう慮があるし、逆に、補助液７の静的表面張力が、塗布液６の静的表面張力より高いと（＋３０ｍＮ／ｍを超えると）、スライド面１上で塗布液６が補助液７に引っ張られ、引っ張られた塗布液６の近傍の塗布液量が少なくなり、ウェブ５上に形成された塗布膜の端部に、無視することができない、塗布液６の付着量が少ない部分ができてしまう慮があるからである。
【００４６】
本発明のスライドカーテン塗布方法は、例えば、このスライドカーテン塗布装置４を使用して実施することができ、基本的なプロセスとしては、図２で示されている様にその塗布装置４のスライド面１の両端のエッジガイド２Ａにおける塗布液６と接する面全体から補助液７を流し、スライド面１の両端のエッジガイド部に、薄膜の補助液７の流れを作り出すことにより、スライド面１の幅方向端部に位置する塗布液６の流速が速くなり、スライド面１の幅方向中心部に位置する塗布液６との流速差を小さくすることにより、前記端部の塗布液６が中心側に縮流する現象が生じるのを抑制することができ、塗布液６の端部付着量が多くなる現象を防止することができる。
【００４７】
また、スライドカーテン塗布装置４のスライド面１の両端のエッジガイド２Ａにおける塗布液６と接する面全体から補助液７を流すことにより、補助液量を少なくすることが可能となり、塗布液６と補助液７との混合部分が殆ど無く、ウェブ５上に塗布後の塗布液６による塗布膜の幅方向端部において、塗布液６と補助液７との混合ムラの発生を抑制することもできている。
【００４８】
更には、スライド面１の両端のエッジガイド２Ａにおける塗布液６と接する面から流す補助液７の高さを、図３に示すように、塗布液膜厚と同等として塗布するようにコントロールすることにより、塗布液６と補助液７とが混合しにくく、ウェブ５上に塗布後の塗布液６による塗布膜の幅方向端部に、塗布液６と補助液７との混合部分が生じるのを防止することができ、端部混合ムラの抑制を一段と適切にすることができる。
【００４９】
〔第２実施形態〕
上記構成において、図４に示すように、更にスライド面１の両端のエッジガイド２Ａにおける塗布液６と接する面の壁部材８として、多孔質体材料を用いるようにするのが好ましい。壁部材（多孔質体部材）８をこのように構成することにより、補助液７の膜厚を小さくし、補助液７の流れのムラを小さくすることができ、ウェブ５上に塗布後の塗布液６による塗布膜の幅方向端部において、塗布液６の付着量ムラを、より適切に抑制することができる。この多孔質体部材８の材料としては、セラミック、テフロン（登録商標）、ステンレス、アルミニウム等が挙げられる。
【００５０】
特に、多孔質体部材８の高さを、図４に示すように、塗布液膜厚と同等とすることによって、塗布液６と補助液７とが混合しにくくなり、ウェブ５上に塗布後の塗布液６による塗布膜の幅方向端部に、塗布液６と補助液７との混合部分が生じるのを防止することができ、端部混合ムラを効果的に抑制することができる。更には、多孔質体部材８の平均細孔径を５０μｍ以下としたり、多孔質体部材８の気孔率を３０％以上とすることにより、補助液７の流れのムラを小さくすることができ、スライド面１の幅方向端部における塗布液６の流速が安定して速くなり、塗布液６の端部付着量が多くなる現象の発生を防止することができる。
【００５１】
〔第３実施形態〕
スライド面１の両端のエッジガイド２Ａにおける塗布液６と接する隔壁面の多孔質体部材８の高さを、塗布液膜厚と同等とした上記構成において、更に図５に示すように、同隔壁面上の多孔質体部材８の上に、補助液７に対して接触角９０°以上の規制部材９を配設した構成として、塗布液６を塗布するようにするのが好ましい。このように構成することにより、図６の対比説明図に示すように、規制部材９が無い場合（図６Ａ参照）に比べて、規制部材９を設けた場合（図６Ｂ参照）では、スライド面１の端部での塗布液高さが中心部と同等となり、塗布液６の端部付着量が多くなる現象の発生を防止することができる。この規制部材９の材質としては、セラミック、テフロン（登録商標）、ステンレス、アルミニウム等が好適に挙げられる。
【００５２】
〔第４実施形態〕
上記構成において、更に吸引機構を設けるようにするのが、より好ましい。この第４の実施形態では、図７に示すように、適宜選択された不図示の吸引機構によって、スライド面１の両端のエッジガイド２Ａにおける塗布液６と接する面から流した補助液７を、そのスライド面１の両端のエッジガイド２Ａの下流側部位で吸引することにより、ウェブ５上に塗布後の塗布液６による塗布膜の幅方向端部に、塗布液６と補助液７との混合部分が生じることなく、塗布液６の端部付着量が多くなる現象の発生を防止することができる。
【００５３】
〔第５実施形態〕
更には、図８に示すように、スライド面１の両端のエッジガイド２Ａにおける補助液７が流れる面を、その面に対しての補助液７の膜厚分だけ、スライド面１側のエッジガイド２Ａ端面から補助液７が流れる面と反対方向に（幅方向外側に）奥まった位置から（すなわち、吸い込み位置を外側に移動させて設定する）流した補助液７を、そのスライド面１両端のエッジガイド２Ａ下流側で吸引しながら、塗布膜をウェブ上に塗布するようにしてもよい。このようにすることで、ウェブ５上に塗布後の塗布液６による塗布膜の幅方向端部に、塗布液６と補助液７との混合部分が生じることなく、塗布液６の端部付着量が多くなる現象の発生を、より効果的に防止することができる。
【００５４】
〔第６実施形態〕
更なる実施形態として、図９に示すように、スライド面１の両端のエッジガイド２Ａにおける塗布液６と接する面から流した補助液７を、そのスライド面１の両端のエッジガイド２Ａの下流側に設けた爪１０により補助液７を掻き取りながら、塗布液６を塗布するようにすることができる。このように構成することにより、ウェブ５上に塗布後の塗布液６による塗布膜の幅方向端部において、塗布液６と補助液７との混合部分が生じることなく、塗布液６の端部付着量が多くなる現象の発生を防止することができる。
【００５５】
更にこれらのスライド面１の両端のエッジガイド２Ａの下流に設けた爪１０の長さを、スライド面１の両端のエッジガイド２Ａにおける塗布液６と接する面から流した補助液７の接する面に対しての膜厚と同等の長さとすることにより、塗布液６と補助液７との混合部分を生じさせないことができる。
【００５６】
〔第７実施形態〕
更に他の実施形態について説明する。この実施形態では、図１０に示すように、スライド面１の両端のエッジガイド２Ａにおける補助液７が流れる面を、その面に対しての補助液７の膜厚分だけ、スライド面１側のエッジガイド２Ａ端面から補助液７が流れる面と反対方向に移動させ、流した補助液７を、そのスライド面１の両端のエッジガイド２Ａ下流側に設けた爪１０により掻き取りながら塗布する。
【００５７】
このようにしても、塗布液６と補助液７との混合部分が生じることなく、ウェブ５上に塗布後の塗布液６による塗布膜の幅方向端部に、塗布液６と補助液７との混合部分が生じることなく、塗布液６の端部付着量が多くなる現象の発生を防止することができる。この実施形態では、その掻き取った補助液７を吸引する機構を更に備えるようにしている。これによって、更に塗布液６と補助液７との混合部分が生じないので、ウェブ５上に塗布後の塗布液６による塗布膜の幅方向端部に、塗布液６と補助液７との混合部分が発生することなく、塗布液６の端部付着量が多くなる現象の発生が、より効果的に防止される。
【００５８】
なお、上記の構成においても、スライド面１の両端のエッジガイド２Ａ下流に設けた爪１０の長さを、スライド面１の両端のエッジガイド２Ａにおける塗布液６と接する面から流した補助液７の接する面に対しての膜厚と同等の長さとすることができ、塗布液６と補助液７との混合部分を生じさせないことができる。
【００５９】
これまでの説明からも判るように、本発明の前記スライドカーテン塗布方法では、１層以上の前記塗布液を各々のスリットから吐出させ、前記スライド面上で積層し、その積層した前記塗布液を自由落下させ、連続走行する前記ウェブ上に塗布するスライドカーテン塗布方法において、前記スライド面両端の前記エッジガイドにおける塗布液と接する面全体から前記補助液を流し、前記塗布液を塗布するようにしているので、前記スライド面上で前記塗布液が縮流するのを抑制し、前記塗布液により形成される塗布膜の幅方向端部に、前記塗布液の付着量の多い部分が生じるのを抑制することができる。
【実施例】
【００６０】
以下、本発明の実施例を説明するが、本発明は、これらの実施例に何ら限定されるものではない。
【００６１】
（実施例１）
図２及び図３に示すように、スライド面エッジガイド２Ａにおける塗布液６と接する面に、多孔質体部材８として、高さ５ｍｍのセラミック（平均細孔径５０μｍ、気孔率５２％）を取り付けた。そして、セラミック面全体から、補助液７として、水（静的表面張力７２．６ｍＮ／ｍ：ＦＡＣＥ自動表面張力計（「ＣＢＶＰ−Ａ３型」；協和界面科学（株）製）で測定）を流し、スライドカーテン塗布方式にて、下記組成の塗布液をウェブ（紙）に、塗工速度４００ｍｍ／ｍｉｎ、塗工幅２５０ｍｍ、ノズルスリット吐出塗布液流量３，０００ｇ／ｍｉｎの条件で塗工した。そして、その塗工サンプルの幅方向（中心より片側のみ）の付着量を、分光測色濃度計（「９３８」；Ｘ−Ｒｉｔｅ社製）で測定（シアンフィルター使用、測定径５ｍｍ）し、その平均膜厚における幅方向のバラツキを計算した。その結果を、図１１に示す。また、塗布液による塗布膜の端部における、塗布液と補助液との混合ムラを目視で確認した。その結果を、表１に示す。
−塗布液の組成−
（塗布液：粘度３００ｍＰａ・ｓ、静的表面張力３５ｍＮ／ｍ）
ポリビニルアルコール・・・・・８５質量部
緑顔料・・・・・５質量部
水・・・・・９１５質量部
【００６２】
（実施例２）
実施例１におけるセラミックの高さを、塗布液膜厚と同じ２．５ｍｍとした以外は、実施例１と同様にして塗布液の塗工を行った。その結果を、図１１及び表１に示す。
【００６３】
（実施例３）
実施例１におけるセラミックの高さを、塗布液膜厚と同じ２．５ｍｍとし、図５に示すように、そのセラミックの上に、規制部材９として、厚さ５ｍｍのテフロン（登録商標）（水に対しての接触角１２７°：ＦＡＣＥ接触角計（「ＣＡ−Ｄ型」；協和界面科学（株）製で測定）を挟んだ以外は、実施例１と同様にして塗布液の塗工を行った。その結果を、図１１及び表１に示す。
【００６４】
（実施例４）
実施例１における補助液を、そのスライド面両端のエッジガイド下流側で吸引しながら、実施例１と同様にして、塗布液の塗工を行った。その結果を、図１１及び表１に示す。
【００６５】
（実施例５）
実施例４において、スライド面両端のエッジガイドを、図８に示すように、その面に対しての補助液の膜厚と同じ０．５ｍｍだけ、スライド面側のエッジガイド端面から補助液が流れる面と反対方向に移動させた以外は、実施例４と同様にして、塗布液の塗工を行った。その結果を、図１１及び表１に示す。
【００６６】
（実施例６）
実施例２において、スライド面両端のエッジガイド下流側に、長さ０．５ｍｍの爪を付け、補助液を掻き取りながら吸引した以外は、実施例２と同様にして、塗布液の塗工を行った。その結果を、図１１及び表１に示す。
【００６７】
（実施例７）
実施例６において、スライド面両端のエッジガイドを、図１０に示すように、その面に対しての補助液の膜厚と同じ０．５ｍｍだけ、スライド面側のエッジガイド端面から補助液が流れる面と反対方向に移動させた以外は、実施例６と同様にして、塗布液の塗工を行った。その結果を、図１１及び表１に示す。
【００６８】
（実施例８）
実施例４において、補助液として、水に界面活性剤を入れて、静的表面張力が５４ｍＮ／ｍとなるように調整した液を使用した以外は、実施例４と同様にして、塗布液の塗工を行った。その結果を、図１２及び表１に示す。
【００６９】
（実施例９）
実施例４において、補助液として、水に界面活性剤を入れて、静的表面張力が２８ｍＮ／ｍとなるように調整した液を使用した以外は、実施例４と同様にして、塗布液の塗工を行った。その結果を、図１２及び表１に示す。
【００７０】
（比較例１）
実施例１において、スライド部エッジガイドから補助液を流さなかった以外は、実施例１と同様にして塗布液の塗工を行った。その結果を、図１１及び表１に示す。
【００７１】
（比較例２）
実施例１において、スライド部エッジガイド上方からスライド部エッジガイドに沿って、補助液として水を流した以外は、実施例１と同様にして、塗布液の塗工を行った。その結果を、図１１及び表１に示す。
【００７２】
【表１】
0005380807.tif 000002
【００７３】
（評価方法及び評価結果）
図１１より、スライド面両端のエッジガイドにおける塗布液と接する面全体から補助液を流すことにより、塗布液による塗布膜の幅方向端部における塗布液の付着量を、問題ない付着量バラツキ±５％以内に抑制可能であることが明確になった。また、塗布膜の幅方向端部における、塗布液と補助液との混合ムラも、スライド面両端のエッジガイド下流で補助液を捕集することにより、なくすことが可能であることを明確にすることができた。
図１２より、補助液の静的表面張力を、塗布液の静的表面張力とほぼ同等とすることにより、塗膜の幅方向端部における塗布液の付着量バラツキを、更に小さくすることができることが判った。
【産業上の利用可能性】
【００７４】
本発明のスライドカーテン塗布装置及びスライドカーテン塗布方法は、スライド面上で前記塗布液が縮流することを抑制し、前記塗布液による塗布膜の幅方向端部において、前記塗布液の付着量の多い部分が生じるのを抑制することができるので、写真フィルム等の写真感光材料などの製造に好適に使用することができる。
【図面の簡単な説明】
【００７５】
【図１】図１は、従来のカーテン塗布装置を示す図である。
【図２】図２は、本発明のスライドカーテン塗布装置の一実施形態例を示す図である。
【図３】図３は、図２のスライドカーテン塗布装置におけるエッジガイド部分を示す拡大断面図である。
【図４】図４は、本発明の第２実施形態に係るスライドカーテン塗布装置におけるエッジガイド部の他の構造例を示す拡大断面図である。
【図５】図５は、第３実施形態に係るスライドカーテン塗布装置におけるエッジガイド部の他の構造例を示す拡大断面図である。
【図６Ａ】図６Ａは、第３実施形態におけるエッジガイド部の他の構造例（その１）を説明する拡大断面図である。
【図６Ｂ】図６Ｂは、第３実施形態におけるエッジガイド部の他の構造例（その２）を説明する拡大断面図である。
【図７】図７は、第４実施形態におけるエッジガイド部の他の構造例を説明する拡大断面図である。
【図８】図８は、第５実施形態におけるエッジガイド部の他の構造例を説明する拡大断面図である。
【図９】図９は、第６実施形態おけるエッジガイド部の他の構造例を説明する拡大断面図である。
【図１０】図１０は、第７実施形態におけるエッジガイド部の他の構造例を説明する拡大断面図である。
【図１１】図１１は、実施例及び比較例における塗膜端部からの距離に対する塗膜の付着量のバラツキを示す関係図である。
【図１２】図１２は、実施例における塗膜端部からの距離に対する塗膜の付着量のバラツキを示す関係図である。
【符号の説明】
【００７６】
１      スライド面
２Ａ    スライド面エッジガイド
３Ａ    カーテン部エッジガイド
４      スライドカーテン塗布装置（カーテン塗工ヘッド）
５      ウェブ
６      塗布液
７      補助液
８      壁部材（多孔質体部材）
９      接触部材
１０    爪
Ｓ      スリット
【図１】
0005380807.tif 000003
【図２】
0005380807.tif 000004
【図３】
0005380807.tif 000005
【図４】
0005380807.tif 000006
【図５】
0005380807.tif 000007
【図６Ａ】
0005380807.tif 000008
【図６Ｂ】
0005380807.tif 000009
【図７】
0005380807.tif 000010
【図８】
0005380807.tif 000011
【図９】
0005380807.tif 000012
【図１０】
0005380807.tif 000013
【図１１】
0005380807.tif 000014
【図１２】
0005380807.tif 000015